(57)【特許請求の範囲】
【請求項１】
第１の内部時計を監視しながらＰＳＩ／ＳＩ情報に基く切り替え時間がくると後述するセクション情報生成・送信部にセクションの生成・送信指示を出す第１のスケジュール管理部と、
前記第１のスケジュール管理部の指示に基いて、
現在送出するセクションが未送信である場合には、次送信番組のＳＩ情報に基いた放送開始時間であり多重化装置を制御する次送信送出開始時間を次送信セクション情報に付加した次送信セクションを予め生成し、及び現在送信番組のＳＩ情報に基いた現在送信送出開始時間を現在送信セクション情報に付加した現在送信セクションを生成し、
現在送出するセクションが未送信でない場合には、前記次送信セクションを予め生成し、
前記生成したセクションをＰＳＩ／ＳＩを構成するテーブルの送出周期間隔の値である周期情報に基いて前記テーブルの送出周期が同じものを集めた周期グループに分けて送信するセクション情報生成・送信部と、
を有するＰＳＩ／ＳＩ生成装置。
【請求項２】
請求項１記載のＰＳＩ／ＳＩ生成装置から入力されたセクション情報をＴＳパケット化するＴＳＰ生成部と、
前記ＴＳパケット化された現在送出するセクション情報と次送信セクション情報を前記ＰＳＩ／ＳＩ生成装置の前記周期グループ別に記憶するＴＳＰ記憶部と、
前記セクション情報に付加された送出開始時間と前記第２の内部時計とが一致するときに前記セクション情報及び送出するＴＳパケットを切替える第２のスケジュール管理部と、
前記第２のスケジュール管理部の指示に基づいて切替えられたＴＳパケットを前記周期情報に従って多重化し、前記ＴＳＰ記憶部に記憶されたセクション情報とエンコードされたＴＳとを前記送出開始時間に合わせて多重化し、出力する多重化部と、
を有する多重化装置。
【請求項３】
請求項１記載のＰＳＩ／ＳＩ生成装置と、
請求項２記載の多重化装置と、
を備えた番組配信システム。
【請求項４】
前記ＰＳＩ／ＳＩ生成装置から前記多重化装置に送信する送出開始時間を付加した前記ＰＳＩ／ＳＩのデータ形式がセクションに特定しないことを特徴とする請求項３に記載の番組配信システム。
【発明の詳細な説明】
【技術分野】
【０００１】
本発明は、番組配信システムの多重化に関するものであり、特にＣＡＴＶ（ケーブルテレビ）の自主放送等でテレビサービス、音声サービス、データサービス等の複数のサービスを一つのサービスのＴＳ（トランスポートストリーム）としてＰＳＩ／ＳＩ（番組特定情報／番組配列情報）を付加して多重化するシステムに適用できる。
【背景技術】
【０００２】
デジタルＣＡＴＶシステムにおいて、視聴者へのサービスとしてＥＰＧ（番組情報）が提供されている。この番組情報はＰＳＩ／ＳＩを構成するテーブルを一定の周期に従い、繰り返し番組とともに送信することで提供されている。
【０００３】
ＰＳＩはＭＰＥＧ２  Ｓｙｓｔｅｍｓ（ＩＳＯ／ＩＥＣ１３８１８−１，ＩＴＵ−Ｔ  Ｈ．２２２．０）で規格化されており、所要の番組を選択するために必要な情報でＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ）、ＣＡＴ（Ｃｏｎｄｉｔｉｏｎａｌ  Ａｃｃｅｓｓ  Ｔａｂｌｅ）の４つのテーブルからなる。
【０００４】
ＳＩはＡＲＩＢ  ＳＴＤ−Ｂ１０で規定されており、番組選択の利便性のために規定された各種情報でＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＴＯＴ（Ｔｉｍｅ  Ｏｆｓｅｔ  Ｔａｂｌｅ）等のテーブルからなる。
【０００５】
番組情報を番組に付加し、ＴＳとして多重化し送出する技術は以前からあったが（例えば、特許文献１を参照）、多重化装置は入力された情報を多重化する機能のみを有する装置であり、別々の装置から入力する番組のトランスポートストリーム（ＴＳ）とＰＳＩ／ＳＩの送出タイミングを合わせて多重化するには、ＰＳＩ／ＳＩを送出する装置が、厳密に時間管理を行いながら周期遅れのないように多重化装置へ情報を入力する必要があった。
【特許文献１】特開２００１−１８６４８１号公報
【発明の開示】
【発明が解決しようとする課題】
【０００６】
デジタルＣＡＴＶシステムの自主放送システムにおいて、番組とＰＳＩ／ＳＩを多重化して送出するには図４のようにＰＳＩ／ＳＩ生成装置５とＰＳＩ／ＳＩ送出装置４と多重化装置６の３台の装置を必要とする。
【０００７】
ＰＳＩ／ＳＩ生成装置５は入力されたＰＳＩ／ＳＩ情報１０１を基にセクション２０２を生成し、ＰＳＩ／ＳＩ送出装置４はセクション２０２をＴＳ２０４として、厳密に時間管理を行いながら周期通りに送出し、多重化装置６は番組のＴＳ２０１とＰＳＩ／ＳＩのＴＳ２０４を多重化する。
【０００８】
ＰＳＩ／ＳＩ送出装置４は時間管理を行う為にリアルタイムＯＳを搭載した高価な専用装置が必要である。
【課題を解決するための手段】
【０００９】
本発明は、前記課題を解決するために図１のＰＳＩ／ＳＩ生成装置１で生成されたセクション２０２を、従来のＰＳＩ／ＳＩ送出装置４は介さずに直接、多重化装置２に入力する。
【００１０】
その為に、ＰＳＩ／ＳＩ生成装置１はセクション２０２に送出開始時間を付与し、セクション２０２は常に今、送出されるものと次ぎに送出されるものだけが周期グループ別に多重化装置２に入力されることで、多重化装置２のＰＳＩ／ＳＩの時間管理を行う処理負荷を軽減する。
【発明の効果】
【００１１】
本発明により、デジタルＣＡＴＶシステムの自主放送において、ＰＳＩ／ＳＩを送出する専用装置をなくすことが可能となり、機器構成を簡略化し、自主放送送信システムの導入、運用、保守費用を削減することが可能となる。
【発明を実施するための最良の形態】
【００１２】
以下本発明の実施の例について、デジタルＣＡＴＶシステムのＰＳＩ／ＳＩ生成を例にとり、図面を参照しながら説明する。
【００１３】
（実施の形態１）
図１は、番組とＰＳＩ／ＳＩを多重化するシステム構成の一例である。
【００１４】
ＥＮＣ（エンコーダ）３は入力された自主放送、コミュニティチャンネル等のアナログコンテンツの入力３０１をＴＳ（Ｔｒａｎｓｐｏｒｔ  Ｓｔｒｅａｍ）２０１にエンコードし多重化装置２へ出力する。
【００１５】
ＰＳＩ／ＳＩ生成装置１は入力された、ＰＳＩ／ＳＩ情報１０１と多重化装置情報１０２と周期情報１０３を基にセクション２０２を生成し多重化装置２へ出力する。多重化装置情報１０２は多重化装置の動作設定値の情報であり、周期情報１０３はＰＳＩ／ＳＩテーブルの送出周期間隔の値である。
【００１６】
多重化装置２はＴＳ２０１とセクション２０２を多重化し、６４ＱＡＭ変調後、ＲＦ信号２０３として出力する。
【００１７】
図２はＰＳＩ／ＳＩ生成装置１の構成の一例である。
【００１８】
ＰＳＩ／ＳＩ生成装置１は、ＰＳＩ／ＳＩ情報入力部１１に入力されるＰＳＩ／ＳＩ情報１０１を記憶するＰＳＩ／ＳＩ情報記憶部１４と、多重化装置情報入力部１２に入力される多重化装置情報１０２を記憶する多重化装置情報記憶部１５と、周期情報入力部１３に入力される周期情報１０３を記憶する周期情報記憶部１６と、内部時計１７を監視しながら送出タイミングを管理するスケジュール管理部１８と、スケジュール管理部の指示によりセクション２０２を生成し多重化装置２に送信するセクション情報生成・送信部１９から構成される。
【００１９】
ここで、スケジュール管理部１８は、内部時計１７を監視しながら、ＰＳＩ／ＳＩ情報記憶部１４に記憶されたＰＳＩ／ＳＩ情報１０１を管理し、切り替え時間がくるとセクション情報生成・送信部１９にセクション２０２の生成・送信指示を出す。切り替え時間には、セグメント単位に行なわれる、決められた３時間毎の定期切り替え時間と、番組と番組の変わり目による切り替え時間が存在し、番組と番組切り替え時間はＰＳＩ／ＳＩ情報１０１の中のＥＩＴに記載されている番組開始時間を切り替え時間としている。
【００２０】
スケジュール管理部１８はＰＳＩ／ＳＩ情報記憶部１４が記憶するＳＩ情報のＥＩＴテーブルから番組の放送開始時間を抜き出し、これをセクション情報生成・送信部１９がセクション情報に組み込んで多重化装置２に送信する。
【００２１】
図５はセクション２０２の一例であり、ＰＳＩ／ＳＩの本来のセクション情報３８に、多重化装置を制御する送出開始時間３７や、通信を行なう為のコマンドＩＤ３３、データ長３４、ＣＲＣ３９等を付加したものを合わせてセクション２０２を構成している。
【００２２】
セクション情報生成・送信部１９は予め、次に送信するセクション２０２に送出開始時刻を付与して生成・送信する。但し初回等で現在送出するセクション２０２が未送信の場合は、現在送出するセクション２０２と次に送出されるセクション２０２に送出開始時刻を付与して生成・送信する。
【００２３】
図３は多重化装置２の構成の一例である。
【００２４】
多重化装置２は、セクション２０２が入力されるセクション情報入力部２１と、入力されたセクション２０２をＴＳパケット化するＴＳＰ生成部２２と、ＴＳパケット化された情報を記憶するＴＳＰ記憶部２３と、内部時計２５を監視しながら送出タイミングを管理するスケジュール管理部２６と、ＴＳ２０１を入力するＴＳ入力部２４とスケジュール管理部２６の指示によりＴＳＰ記憶部２３に記憶された情報とＴＳ入力部２４に入力されたＴＳ２０１を多重化する多重化部２７と、多重化部２７で多重された情報を６４ＱＡＭ変調しＲＦ２０３として出力する６４ＱＡＭ変調部２８で構成される。
【００２５】
ここで、ＴＳＰ記憶部２３は、現在送出するセクション２０２のほかに常に、次のセクション２０２をバッファしている。
【００２６】
スケジュール管理部２６は内部時計２５を監視するとともに、ＴＳＰ記憶部２３が記憶するセクション情報に付与された送出開始時刻と内部時計を比較し、両者が一致すると送出するＴＳパケットの切り替えを行う。また、過去のセクション２０２はＰＳＩ／ＳＩ生成装置１から次のセクション２０２を受信するタイミングで削除され、ＴＳＰ記憶部２３が更新される。次のセクション２０２が存在しない場合は、ＰＳＩ／ＳＩ生成装置１からの削除指示によりＴＳＰ記憶部２３から削除される。
【００２７】
多重化部２７は切り替えられたＴＳパケットを多重化する。
【００２８】
このように、ＰＳＩ／ＳＩ生成装置１は予め次に送出されるセクション２０２を多重化装置２に送信しておくことができるので、従来のように番組の変わり目や時間経過によるセクションの切り替え時に即時にセクション２０２の切り替えを行うことが不要となり、厳密に時間管理する必要がなく余裕を持ってセクション２０２を生成・送出することが可能となる。これにより、セクション２０２の送出タイミングを管理するＰＳＩ／ＳＩ送出装置が不要となるのでＣＡＴＶヘッドエンド設備のコストダウンが可能となる。
【００２９】
（実施の形態２）
実施の形態２ではさらに、ＰＳＩ／ＳＩ生成装置１のセクション情報生成・送信部１９が周期情報記憶部１６よりセクション２０２の送出周期情報１０３を取得し、ＡＲＩＢで規定されたＰＳＩ／ＳＩを構成する各テーブルの送出周期が同じものを集めた周期グループに分けてセクション２０２を送出するようにした。
【００３０】
多重化装置２のＴＳＰ記憶部２３は、周期グループ別にＴＳパケットを記憶しており、スケジュール管理部２６は内部時計２５を監視し、セクション２０２に付与された送出開始時刻になると、送出するＴＳパケットの切り替えを行うとともに、切り替えられたＴＳパケットを定められた周期に従って多重化する。
【００３１】
これにより、多重化装置２側で必要であったテーブルの選択とそれぞれの送出周期の管理が不要となり、多重化装置の負担を軽減することが可能となる。
【００３２】
以上、実施の形態１、２においては各機能が個々の要素となって本発明を実現する例を用いて説明したが、これら各機能を実現する各手段が１つまたは複数のチップ上で動作する構成とすることも可能である。また、これらの各手段をコンピュータで読み取り可能なプログラムまたはプログラムに順ずるものとして構成し、電子番組ガイド生成装置やこれと同等の機能を実現可能な装置にソフトウェアとして組み込むことも可能である。さらに、これらプログラム等をＣＤ−ＲＯＭ等の記録媒体に格納することも可能である。これにより、上記各機能を実現する各手段をＰＳＩ／ＳＩ生成装置やこれと同等の機能を実現可能な様々な装置で実現することができる。
【産業上の利用可能性】
【００３３】
ＣＡＴＶ会社において、コミュニティチェンネル等の自主放送に電子番組表（ＥＰＧ）をつけて配信するサービスを、従来の機器構成よりも簡素化された機器構成での導入・運用が可能となる。
【図面の簡単な説明】
【００３４】
【図１】番組とＰＳＩ／ＳＩを多重化するシステムの構成図
【図２】ＰＳＩ／ＳＩ生成装置の構成を示すブロック図
【図３】多重化装置の構成を示すブロック図
【図４】従来の番組とＰＳＩ／ＳＩを多重化するシステムの構成図
【図５】セクション情報構成図
【符号の説明】
【００３５】
１    ＰＳＩ／ＳＩ生成装置
２    多重化装置
３    ＥＮＣ（エンコーダ）
４    ＰＳＩ／ＳＩ送出装置
５    従来ＰＳＩ／ＳＩ生成装置
６    従来多重化装置
１１    ＰＳＩ／ＳＩ情報入力部
１２    多重化装置情報入力部
１３    周期情報入力部
１４    ＰＳＩ／ＳＩ情報記憶部
１５    多重化装置情報記憶部
１６    周期情報記憶部
１７    内部時計
１８    スケジュール管理部
１９    セクション情報生成・送信部
２１    セクション情報入力部
２２    ＴＳＰ生成部
２３    ＴＳＰ記憶部
２４    ＴＳ入力部
２５    内部時計
２６    スケジュール管理部
２７    多重化部
２８    ６４ＱＡＭ変調部
３１    ｓｔａｒｔ
３２    アドレス
３３    コマンドＩＤ
３４    データ長
３５    サービスＩＤ
３６    管理番号
３７    送出開始時間
３８    セクション情報
３９    ＣＲＣ
１０１    ＰＳＩ／ＳＩ情報
１０２    多重化装置情報
１０３    周期情報
２０１    ＴＳ
２０２    セクション情報
２０３    ＲＦ
２０４    ＴＳ
２０５    ＴＳ
３０１    自主放送、コミュニティチャンネル等のアナログコンテンツの入力
【図１】
0004591060.tif 000002
【図２】
0004591060.tif 000003
【図３】
0004591060.tif 000004
【図４】
0004591060.tif 000005
【図５】
0004591060.tif 000006